【手続補正書】
【提出日】平成16年8月27日(2004.8.27)
【手続補正１】
【補正対象書類名】明細書
【補正対象項目名】特許請求の範囲
【補正方法】変更
【補正の内容】
【特許請求の範囲】
【請求項１】
第１のスイッチング素子と第２のスイッチング素子とが直列に接続されてなる直列回路が、その一端側で主電源に接続される一方、その他端側で接地されるとともに、前記第１のスイッチング素子と第２のスイッチング素子とのノードから出力端子が取り出され、
前記第１のスイッチング素子及び第２のスイッチング素子が互いに相補的にオン又はオフされ、前記第１のスイッチング素子のオン動作時には、その主電源からの電流が前記出力端子から出力される一方、前記第２のスイッチング素子のオン動作時には、前記出力端子から流入する電流が前記第２のスイッチング素子を通じて接地側へ流れるように構成されるドライブ回路において、
前記第１のスイッチング素子及び第２のスイッチング素子に流れる電流を所定の定電流とする定電流回路を備えていることを特徴とするドライブ回路。
【請求項２】
前記定電流回路が、
トランジスタにより構成され、主電源から受け取る電流の大きさを制限して、定電流として前記第１のスイッチング素子に出力する第１の定電流回路と、
トランジスタにより構成され、第２のスイッチング素子に直列に接続されて前記出力端子から流入し前記第２のスイッチング素子を通じて接地側へ流れる電流の大きさを制限し、接地側へ出力する第２の定電流回路とからなることを特徴とする請求項１記載のドライブ回路。
【請求項３】
前記第１の定電流回路は、カレントミラー回路であって、
主電源又は主電源とは異なる少なくとも１つの電源と、
前記主電源又は主電源とは異なる少なくとも１つの電源と接続され、かつ、そのゲートとドレインとが互いに接続された第１のトランジスタと、
第１のトランジスタのゲートと接続されたゲート、主電源に接続されたソースおよび第１のスイッチング素子に接続されたドレインを有する第２のトランジスタであって、ゲートに印加される電圧により、主電源から受け取る前記電流の大きさを制限して、定電流として第１のスイッチング素子に出力する第２のトランジスタとを備えており、
前記第２の定電流回路は、カレントミラー回路であって、
主電源とは異なる少なくとも１つの電源と、
前記主電源とは異なる少なくとも１つの電源と接続され、かつ、そのゲートとドレインとが互いに接続された第３のトランジスタと、
第３のトランジスタのゲートと接続されたゲート、第２のスイッチング素子に接続されるドレインおよび接地側に接続されるソースを有する第４のトランジスタであって、ゲートに印加される電圧により、前記流入電流の大きさを制限し、接地側に出力する第４のトランジスタとを備えていることを特徴とする請求項２に記載のドライブ回路。
【請求項４】
前記第１の定電流回路は、第１のトランジスタおよび第２のトランジスタとは異なる、１以上のトランジスタと、該１以上のトランジスタに接続される１以上の電源とをさらに備え、該１以上のトランジスタは、前記第２のトランジスタと並列に設けられて、ゲートに印加される電圧により、該１以上の電源から受け取る前記電流の大きさを制限して、定電流として第１のスイッチング素子にさらに出力することを特徴とする請求項２又は３に記載のドライブ回路。
【請求項５】
前記１以上のトランジスタは、第２のトランジスタのゲートと接続されたゲート、該１以上の電源に接続されるソースおよび第１のスイッチング素子に接続されるドレインを有することを特徴とする請求項４に記載のドライブ回路。
【請求項６】
前記第２の定電流回路は、第３のトランジスタおよび第４のトランジスタとは異なる、１以上のトランジスタと、該１以上のトランジスタに接続される１以上の電源とをさらに備え、該１以上のトランジスタは、前記第４のトランジスタと並列に設けられて、ゲートに印加される電圧により、前記出力端子から流入される電流を分流して、接地側へ出力することを特徴とする請求項３又は４に記載のドライブ回路。
【請求項７】
前記１以上のトランジスタは、第４のトランジスタのゲートと接続されたゲート、該１以上の電源に接続されるドレインおよび接地側に接続されるソースを有することを特徴とする請求項６に記載のドライブ回路。
【手続補正２】
【補正対象書類名】明細書
【補正対象項目名】０００９
【補正方法】変更
【補正の内容】
【０００９】
【課題を解決するための手段】
本発明によるドライブ回路は、第１のスイッチング素子と第２のスイッチング素子とが直列に接続されてなる直列回路が、その一端側で主電源に接続される一方、その他端側で接地されるとともに、前記第１のスイッチング素子と第２のスイッチング素子とのノードから出力端子が取り出され、前記第１のスイッチング素子及び第２のスイッチング素子が互いに相補的にオン又はオフされ、前記第１のスイッチング素子のオン動作時には、その主電源からの電流が前記出力端子から出力される一方、前記第２のスイッチング素子のオン動作時には、前記出力端子から流入する電流が前記第２のスイッチング素子を通じて接地側へ流れるように構成されるドライブ回路であって、前記第１のスイッチング素子及び第２のスイッチング素子に流れる電流を所定の定電流とする定電流回路を備えている。これにより上記目的が達成される。
上記定電流回路は、トランジスタにより構成され、主電源から受け取る電流の大きさを制限して、定電流として前記第１のスイッチング素子に出力する第１の定電流回路と、トランジスタにより構成され、第２のスイッチング素子に直列に接続されて前記出力端子から流入し前記第２のスイッチング素子を通じて接地側へ流れる電流の大きさを制限し、接地側へ出力する第２の定電流回路とからなるものであってもよい。
【手続補正３】
【補正対象書類名】明細書
【補正対象項目名】００１０
【補正方法】変更
【補正の内容】
【００１０】
前記第１の定電流回路は、カレントミラー回路であって、主電源又は主電源とは異なる少なくとも１つの電源と、前記主電源又は主電源とは異なる少なくとも１つの電源と接続され、かつ、そのゲートとドレインとが互いに接続された第１のトランジスタと、第１のトランジスタのゲートと接続されたゲート、主電源に接続されたソースおよび第１のスイッチング素子に接続されたドレインを有する第２のトランジスタであって、ゲートに印加される電圧により、主電源から受け取る前記電流の大きさを制限して、定電流として第１のスイッチング素子に出力する第２のトランジスタとを備えており、また、一方、前記第２の定電流回路は、カレントミラー回路であって、主電源とは異なる少なくとも１つの電源と、前記主電源とは異なる少なくとも１つの電源と接続され、かつ、そのゲートとドレインとが互いに接続された第３のトランジスタと、第３のトランジスタのゲートと接続されたゲート、第２のスイッチング素子に接続されるドレインおよび接地側に接続されるソースを有する第４のトランジスタであって、ゲートに印加される電圧により、前記流入電流の大きさを制限し、接地側に出力する第４のトランジスタとを備えていてもよい。
【手続補正４】
【補正対象書類名】明細書
【補正対象項目名】００１２
【補正方法】変更
【補正の内容】
【００１２】
該１以上のトランジスタは、第２のトランジスタのゲートと接続されたゲート、該１以上の電源に接続されるソースおよび第１のスイッチング素子に接続されるドレインを有していてもよい。
【手続補正５】
【補正対象書類名】明細書
【補正対象項目名】００１３
【補正方法】変更
【補正の内容】
【００１３】
前記第２の定電流回路は、第３のトランジスタおよび第４のトランジスタとは異なる、１以上のトランジスタと、該１以上のトランジスタに接続される１以上の電源とをさらに備え、該１以上のトランジスタは、前記第４のトランジスタと並列に設けられて、ゲートに印加される電圧により、前記出力端子から流入される電流を分流して、接地側へ出力してもよい。
【手続補正６】
【補正対象書類名】明細書
【補正対象項目名】００１４
【補正方法】変更
【補正の内容】
【００１４】
該１以上のトランジスタは、第４のトランジスタのゲートと接続されたゲート、該１以上の電源に接続されるドレインおよび接地側に接続されるソースを有していてもよい。
【手続補正７】
【補正対象書類名】明細書
【補正対象項目名】００２０
【補正方法】変更
【補正の内容】
【００２０】
以下、カレントミラー回路１１を具体的に説明する。カレントミラー回路１１は、複数の電源に接続され、特定の電源から入力された電流と同じ向きに、他の電源から入力された電流が定電流として出力される定電流回路である。カレントミラー回路１１は、２つのＰチャンネル電界効果型トランジスタ（ＭＯＳ−ＦＥＴ）１３および１４を含む。トランジスタ１３のドレインは、主電源ＶＣＣに接続されている。なお図１では、この電源はカレントミラー回路１１の構成要素として描かれていないが、実質的にはカレントミラー回路１１の構成要素として捉えることができる。トランジスタ１３のソースとゲートとは互いに接続され、共に接地電位に接続されている。
【手続補正８】
【補正対象書類名】明細書
【補正対象項目名】００２８
【補正方法】変更
【補正の内容】
【００２８】
より詳しくカレントミラー回路２１を説明すると、新たに設けられたトランジスタ２３等を含む、カレントミラー回路２１のトランジスタの各ゲートは、互いに接続されている。また、各ドレインも互いに接続され、トランジスタ１８のドレインと接続されている。カレントミラー回路２１のトランジスタの各ソースは、端子２６として示されている。図２に示す構成では、トランジスタ２５のみが主電源ＶＣＣに接続されているだけであるため、実質的にはドライブ回路１０（図１）のカレントミラー回路１１と同じである。しかし、ドライブ回路２０のｎ個の端子２６に電源ＶＣＣを接続することにより、ソース電流は（ｎ＋１）倍に設定できる（ｎ：整数）。その理由は、端子２６に接続された新たな電源ＶＣＣからも、電流がトランジスタ１８に流れ込むからである。流れ込む電流の経路を図中の１点鎖線により示している。このように構成することにより、一つのドライブ回路２０において、選択的にソース電流を設定できるようになる。
【手続補正９】
【補正対象書類名】明細書
【補正対象項目名】００３０
【補正方法】変更
【補正の内容】
【００３０】
以上、実施の形態１および２を説明した。実施の形態１および２では、ドライブ回路に含まれるトランジスタは、ＭＯＳ−ＦＥＴとして説明した。しかし、ＭＯＳ−ＦＥＴに代えて、バイポーラトランジスタを利用してもよい。具体的には、ＭＯＳ−ＦＥＴのソース、ドレインおよびゲートを、それぞれバイポーラトランジスタのエミッタ、コレクタおよびゲートに変更すればよい。ＭＯＳ−ＦＥＴと比較して、バイポーラトランジスタは面積当たりの電流が大きく取れ、コレクタ−エミッタ間の飽和電圧が低く、電流の大きさにあまり影響を受けない、という利点がある。なお、バイポーラトランジスタを利用しても、実施の形態１および２で説明した効果を得ることができる。
【手続補正１０】
【補正対象書類名】明細書
【補正対象項目名】００３３
【補正方法】変更
【補正の内容】
【００３３】
第１の定電流回路には、ゲートに印加される電圧により、１以上の電源から受け取る前記電流の大きさを制限して、定電流として第１のスイッチング素子にさらに出力する１以上の更なるトランジスタを、並列に設けている。並列に接続したトランジスタの数に応じて、流れる電流量の許容値を変化させることができるので、ソース電流を選択的に設定できる。より具体的には、１以上のトランジスタは、他のトランジスタのゲートと接続されたゲート、電源に接続されるソースおよび第１のスイッチング素子に接続されるドレインを有する。
【手続補正１１】
【補正対象書類名】明細書
【補正対象項目名】００３４
【補正方法】変更
【補正の内容】
【００３４】
第２の定電流回路には、ゲートに印加される電圧により、１以上の電源から受け取る前記電流の大きさを制限して、流入電流を分流して、接地端子に出力する１以上の更なるトランジスタを、並列に設けている。並列に接続したトランジスタの数に応じて、流入電流量の許容値を変化させることができるので、シンク電流を選択的に設定できる。より具体的には、１以上のトランジスタは、他のトランジスタのゲートと接続されたゲート、電源に接続されるドレインおよび接地側に接続されるソースを有する。
【手続補正１２】
【補正対象書類名】図面
【補正対象項目名】図１
【補正方法】変更
【補正の内容】
【図１】
2003234624.tif 000001
【手続補正１３】
【補正対象書類名】図面
【補正対象項目名】図２
【補正方法】変更
【補正の内容】
【図２】
2003234624.tif 000002